(57)【要約】【課題】試験に使用される材料間の接続を容易に模擬することができる練習用キットを提供することを目的とする。【解決手段】本発明に係る練習用キット１は、試験の対策のための練習に用いられる練習用キット１であって、試験の対策に使用される材料としての電線類１０の先端部１１，１２を硬質材料で形成するとともに、先端部１１，１２を試験の対策に使用される材料としての他の電気部品を模擬した材料２０に差し込む。硬質材料は、硬線とすることができ、硬線は、金属製の硬線、より詳しくは硬銅線とすることができる。【選択図】図１
2020149031.tif 000002
【特許請求の範囲】
【請求項１】
試験の対策のための練習に用いられる練習用キットであって、
前記試験の対策に使用される材料としての電線類の先端を硬質材料で形成するとともに、前記先端を前記試験の対策に使用される材料としての他の電気部品を模擬した材料に差し込むことにより、前記電線類の先端と前記電気部品を模擬した材料とを接続することを特徴とする練習用キット。
【請求項２】
前記硬質材料は、硬線とすることを特徴とする請求項１に記載の練習用キット。
【請求項３】
前記硬線は、金属製の硬線とすることを特徴とする請求項２に記載の練習用キット。
【請求項４】
前記金属製の硬線は、硬銅線とすることを特徴とする請求項３に記載の練習用キット。
【請求項５】
前記電線類の中間部を前記硬質材料よりもヤング率の小さい材料で形成することを特徴とする請求項１乃至請求項４のいずれか一項に記載の練習用キット。
【請求項６】
前記電線類の中間部を軟線とすることを特徴とする請求項１乃至請求項５のいずれか一項に記載の練習用キット。
【請求項７】
前記軟線は、金属製の軟線とすることを特徴とする請求項６とすることを特徴とする請求項６に記載の練習用キット。
【請求項８】
前記金属製の軟線は、軟銅線とすることを特徴とする請求項７に記載の練習用キット。
【請求項９】
前記軟線は、撚線とすることを特徴とする請求項６乃至請求項８のいずれか一項に記載の練習用キット。
【請求項１０】
前記電気部品を模擬した材料の前記電線類の先端を差し込む部分に、孔を設けることを特徴とする請求項１乃至請求項９のいずれか一項に記載の練習用キット。
【請求項１１】
前記電気部品を模擬した材料を、前記電線類よりも比重の小さい材料で形成することを特徴とする請求項１乃至請求項１０のいずれか一項に記載の練習用キット。
【請求項１２】
前記電気部品を模擬した材料は、発泡性の材料、スポンジ状の部材、およびコルクを用いた材料の少なくともいずれか一つとすることを特徴とする請求項１１に記載の練習用キット。
【請求項１３】
前記電気部品を模擬した材料の表面に前記電気部品の写真および／または図を施すことを特徴とする請求項１乃至請求項１２のいずれか一項に記載の練習用キット。
【請求項１４】
前記電線類および／前記電気部品を模擬した材料の位置を固定するための固定具を有することを特徴とする請求項１乃至請求項１３のいずれか一項に記載の練習用キット。
【請求項１５】
前記固定具は、固定盤を有し、前記固定盤上に前記電線類および／または前記電気部品を模擬した材料を固定することを特徴とする請求項１４に記載の練習用キット。
【請求項１６】
前記固定具は、固定材を介して前記電線類および／または前記電気部品を模擬した材料を固定することを特徴とする請求項１５に記載の練習用キット。
【請求項１７】
前記固定材は、前記電線類および／または前記電気部品を模擬した材料を着脱可能に固定することを特徴とする請求項１６に記載の練習用キット。
【請求項１８】
前記固定材は、面ファスナーを含むことを特徴とする請求項１７に記載の練習用キット。
【請求項１９】
前記固定材は、屈曲または湾曲したフック状の部材を含み、前記屈曲または前記湾曲したフック状の部材の内側空間に前記電線類を敷設するとともに、前記電線類を敷設した状態で前記屈曲または前記湾曲したフック状の部材を更に内側に屈曲または湾曲させて挟み込み、前記電線類を固定することを特徴とする請求項１７に記載の練習用キット。
【請求項２０】
前記電気部品を模擬した材料は、発泡性の材料、スポンジ状の部材、およびコルクを用いた材料の少なくともいずれか一つの表面に、前記電気部品の写真および／または図を施した物品を設けて形成されることを特徴とする請求項１乃至請求項１９のいずれか一項に記載の練習用キット。
【請求項２１】
前記電線類の先端を、前記電気部品を模擬した材料の端子部分に差し込むことにより、前記電線類の先端と前記電気部品を模擬した材料とを接続することを特徴とする請求項２０に記載の練習用キット。
【請求項２２】
前記電線類の先端を、前記電気部品を模擬した材料としての前記電気部品の写真および／または図を施した物品と、前記物品を表面に施した発泡性の材料、スポンジ状の部材、およびコルクを用いた材料の少なくともいずれか一つと、に達するように差し込むことを特徴とする請求項２０または請求項２１に記載の練習用キット。
【請求項２３】
前記物品に複線図を施すことを特徴とする請求項２０乃至請求項２２のいずれか一項に記載の練習用キット。
【請求項２４】
前記物品に余白を設けることを特徴とする請求項２０乃至請求項２３のいずれか一項に記載の練習用キット。
【請求項２５】
前記物品は、シート状物とすることを特徴とする請求項２０乃至請求項２４のいずれか一項に記載の練習用キット。
【発明の詳細な説明】
【技術分野】
【０００１】
本発明は、練習用キットに関し、特に試験の対策に使用される材料を含み、試験の対策のための練習に用いられる練習用キットに関する。
【背景技術】
【０００２】
各種の資格試験が広く一般に知られており、例えば、電気に関連する資格試験として電気工事士の試験がある。この電気工事士の試験には、技能試験があり、技能試験は、予め複数の候補問題が公表され、実際の技能試験は、複数の候補問題の中から１題が出題されて行われる。実際の技能試験では、受講者は、出題された配線図を参照しながら該配線図に対応するように実際の電気部品の接続を行う。
【０００３】
このため、試験対策のテキストを出版する出版社は、公表された複数の候補問題の解答を導き出して模範解答を載せたテキストを出版している。また、この出版会社と提携して、あるいは単独での資格試験対策に供することを目的として、使用される複数の材料より詳しくは複数の実際の電気部品をセットとして受講者に販売する会社がある。
【発明の概要】
【発明が解決しようとする課題】
【０００４】
上述した資格試験おいては、電気部品間の接続が正確に行えるか否かが合否の分かれ目となるが、上述の如く実際の電気部品を用いて接続の練習を行うこととすると、その前段階として電線類を所定の長さに切断しつつ先端側の被覆を剥く作業を行うとともに、電気部品の端子部分を緩めて電線類の先端側を端子部分に巻き付け、更に端子部分を締める作業を行う等、接続の練習以外の作業が非常に多く効率的な試験対策の妨げとなっていた。このため、電気部品間の接続を容易に模擬することができる練習用キットの提供が強く望まれていた。
【０００５】
本発明は、このような事情に鑑みてなされたものであり、試験に使用される材料間の接続を容易に模擬することができる練習用キットを提供することを目的とする。
【課題を解決するための手段】
【０００６】
上記目的を達成するため、本発明に係る練習用キットは、試験の対策のための練習に用いられる練習用キットであって、前記試験の対策に使用される材料としての電線類の先端を硬質材料で形成するとともに、前記先端を前記試験の対策に使用される材料としての他の電気部品を模擬した材料に差し込むことを特徴とする。
【０００７】
本発明によれば、試験の対策に使用される材料としての電線類の先端を硬質材料で形成するとともに、前記先端を試験の対策に使用される材料としての他の電気部品を模擬した材料に差し込むことにより、電線類の先端と電気部品を模擬した材料とを容易に接続することができる等、試験に使用される材料間の接続を容易に模擬することができる。
【０００８】
前記硬質材料は、硬線とすることができ、前記硬線は、金属製の硬線とし、金属製の硬線は、硬銅線とすることができる。
前記電線類の中間部を前記硬質材料よりもヤング率の小さい材料で形成することとすれば、電線類の中間部を曲げることが可能となり、電線類を接続する際の操作性を向上させることができる。
【０００９】
前記電線類の中間部を軟線とすることができ、前記軟線は、金属製の軟線とし、金属製の軟線は、軟銅線とすることができる。前記軟線は、更に撚線とすることができる。
【００１０】
前記電気部品を模擬した材料の前記電線類の先端を差し込む部分に、孔を設けることとすれば、電線類の先端を電気部品を模擬した材料に容易に差し込むことができる。
前記電気部品を模擬した材料を、前記電線類よりも比重の小さい材料で形成することができる。
【００１１】
前記比重の小さい材料は、発泡性の材料またはスポンジ状の部材とすることができる。すなわち、電気部品を模擬した材料を発泡性の材料またはスポンジ状の部材とすることにより、電線類の先端を差し込み易くすることができる。
【００１２】
前記電気部品を模擬した材料の表面に前記電気部品の写真または図を施すことができる。
前記電線類および／または前記電気部品を模擬した材料の位置を固定するための固定具を有することとすれば、前記試験の対策に使用される材料の位置を固定することができる。
【００１３】
前記固定具は、固定盤を有し、前記固定盤上に前記電線類および／または前記電気部品を模擬した材料を固定することができる。
前記固定具は、固定材を介して前記電線類および／または前記電気部品を模擬した材料を固定することができる。
【００１４】
前記固定材は、前記電線類および／または前記電気部品を模擬した材料を着脱可能に固定することができる。
【００１５】
前記固定材は、面ファスナーを含むことができる。
【００１６】
前記固定材は、屈曲または湾曲したフック状の部材を含み、前記屈曲または前記湾曲したフック状の部材の内側空間に前記電線類を敷設するとともに、前記電線類を敷設した状態で前記屈曲または前記湾曲したフック状の部材を更に内側に屈曲させて挟み込み、前記電線類を固定することができる。
【００１７】
前記電気部品を模擬した材料は、発泡性の材料、スポンジ状の部材、およびコルクを用いた材料の少なくともいずれか一つの表面に、前記電気部品の写真および／または図を施した物品を設けて形成することができる。
【００１８】
前記電線類の先端を、前記電気部品を模擬した材料の端子部分に差し込むことにより、前記電線類の先端と前記電気部品を模擬した材料とを接続することができる。
【００１９】
前記電線類の先端を、前記電気部品を模擬した材料としての前記電気部品の写真および／または図を施した物品と、前記物品を表面に施した発泡性の材料、スポンジ状の部材、およびコルクを用いた材料の少なくともいずれか一つと、に達するように差し込むことができる。
【００２０】
前記物品に複線図を施すことができる。
【００２１】
前記物品に余白を設けることができる。
前記物品は、シート状物とすることができる。
【発明の効果】
【００２２】
本発明によれば、試験に使用される材料間の接続を容易に模擬することができる練習用キットを提供することができる。
【図面の簡単な説明】
【００２３】
【図１】本発明の実施形態に係る練習用キットに含まれる試験に使用される材料としての電線類の全体構成を示す斜視図である。
【図２】同練習用キットの試験に使用される材料としての他の電気部品を模擬した材料の構成を示す図で、（ａ）は平面図、（ｂ）は（ａ）のＡＡ側面断面図、（ｃ）は底面図、（ｄ）は正面図である。
【図３】同練習用キットの固定具の構成を示す平面図である。
【図４】同練習用キットにおける固定方法および接続方法を説明するための平面図である。
【図５】同練習用キットにおける固定方法および接続方法を説明するための図４に続く平面図である。
【図６】同練習用キットにおける固定方法および接続方法を説明するための図５に続く平面図である。
【図７】同練習用キットにおける固定方法および接続方法を説明するための図６に続く斜視図である。
【図８】本発明の変形例に係る固定材を示す斜視図である。
【図９】同固定材の固定方法を説明するための斜視図である。
【図１０】同固定材の固定方法を説明するための図９に続く斜視図である。
【図１１】本発明の他の変形例を示す図で、（ａ）は平面図、（ｂ）は正面図である。
【図１２】本発明の更に他の変形例を示す図である。
【図１３】同変形例の側面図である。
【発明を実施するための形態】
【００２４】
以下、図面を参照して、本発明の実施形態に係る練習用キットを詳細に説明する。図１は、本発明の実施形態に係る練習用キットに含まれる試験に使用される材料としての電線類の全体構成を示す斜視図、図２は、同練習用キットの試験に使用される材料としての他の電気部品を模擬した材料の構成を示す図、図３は、同練習用キットの固定具の構成を示す平面図である。
【００２５】
これらの図に示すように、本発明の練習用キット１は、試験より詳しくは資格試験更に詳しくは資格試験の技能試験の対策のための練習に用いられる練習用キット１である。
【００２６】
上記の資格試験の技能試験は、電気に関連する資格試験の技能試験より詳しくは電気工事士の資格試験の技能試験とすることができる。なお、電気工事士とは、電気工事士法に定める電気工事士であって、電気工事士というときは、第一種電気工事士および第二種電気工事士を含むものとする。
【００２７】
すなわち、練習用キット１は、電気に関連する資格試験の技能試験に使用される材料としての電線類１０や電気に関連する資格試験の技能試験に使用される材料としての他の電気部品を模擬した材料２０より詳しくは電気工事士の資格試験の技能試験に使用される材料としての電線類１０や電気工事士の資格試験の技能試験に使用される材料としての他の電気部品を模擬した材料２０を含むことができる（以下、２０は単に他の電気部品を模擬した材料２０とする）。
【００２８】
つまり、練習用キット１は、図１に示す電線類１０および他の電気部品を模擬した材料２０を含み、他の電気部品を模擬した材料２０は、配線器具を模擬した材料、ボックス類を模擬した材料、および電線管を模擬した材料を含む。ボックス類を模擬した材料は、ジョイントボックス、アウトレットボックスを模擬した材料を含み、配線器具を模擬した材料は、端子台、遮断器、スイッチ、取付枠、レセプタクル（ランプレセプタクル）、ブッシング（ゴムブッシング）、スリーブ（リングスリーブ）、コネクタ、シーリング（引っ掛けシーリング）、コンセント、およびランプ（パイロットランプ）を、それぞれ模擬した材料を含んでいる。
【００２９】
電線類１０は、電線およびケーブルを含み、接続の練習を行うことができるように予め所定の長さに設定される。電線類１０は、図１に示すように、一方の先端部１１および他方の先端部１２とこれら先端部１１，１２間に形成される中間部１３からなる（なお、本発明においては、接続には、リングスリーブ等により線と線を結ぶ接続を含むとともに、線を端子に接続する結線も接続に含むものとする）。
【００３０】
一方の先端部１１は、電線類１０の延びる方向に沿って中間部１３の先端から直線状にかつ針金状に突出するように形成されており、他方の先端部１２は、中間部１３の先端から略９０°屈曲して突出するように形成されている。これら先端部１１，１２は、硬質材料を用いて形成され、硬質材料は、硬線とすることができる。硬線は、金属製の硬線とすることができ、更に金属製の硬線は、硬銅線とすることができる。このように硬質材料で形成される電線類１０の先端部１１，１２は、他の電気部品を模擬した材料２０の端子相当部分に差し込んで接続することができる。電線類１０の先端部１１，１２は、被覆されていない裸線となっている。なお、電線類１０の両先端部１１，１２は相互に異なる形状としているため、他の電気部品を模擬した材料２０との接続状態により接続する先端部１１，１２を適宜選択することができる。
【００３１】
中間部１３は、軟質材料を用いて形成されており、軟質材料は、先端部１１，１２の硬質材料よりもヤング率の小さい材料（曲げ剛性の小さい材料）で形成することができ、軟線とすることができる。更に、軟線は、金属製の軟線とすることができ、金属製の軟線は、軟銅線とすることができ、軟銅線は、撚線とすることができる。電線類１０の中間部１３は、ビニル系の材料により被覆されており、面ファスナー１０´（第１の面ファスナー１０´）が設けられている（面ファスナー１０´は、接着剤または接着部材等により電線類１０に固定される）。
【００３２】
他の電気部品を模擬した材料２０は、例えば図２に示すように、取付枠にコンセントを設けた状態を模擬した材料とすることができる。他の電気部品を模擬した材料２０は、角柱等の立体形状をなす基体２１の表面２１ａに、他の電気部品としての取付枠の写真および／または図面２２を貼り付けて施すとともに、更にこの写真および／または図面２２の上にコンセントの写真および／または図面２３を施して形成することができる（以下、写真および／または図面２２，２３は、写真等２２，２３とする場合がある）。立体形状をなす基体２１は、電線類１０よりも比重の小さい材料で形成することができ、比重の小さい材料は、発泡性の材料やスポンジ状の部材更にはコルクを用いた材料とすることができる（電気部品を模擬した材料２０は、発泡性の材料、スポンジ状の部材、およびコルクを用いた材料の少なくともいずれか一つとすることができる）。更に発泡性の材料は、発泡スチロールや発泡ウレタンとすることができる。
【００３３】
なお、基体２１の表面２１ａに施される取付枠およびコンセントの写真等２２，２３は、電線類１０と接続される取付枠およびコンセントの裏面側の写真等２２，２３が用いられる。すなわち、他の電気部品を模擬した材料２０の端子相当部分が基体２１の表面２１ａに現れるように写真等２２，２３を施す。基体２１の底面２１ｂには面ファスナー２０´（第１の面ファスナー２０´）が設けられている（第１の面ファスナー２０´は、接着剤または接着部材等により他の電気部品を模擬した材料２０に固定される）。
【００３４】
ここで、本発明においては、電線類１０の先端部１１，１２を他の電気部品を模擬した材料２０の基体２１に突き刺すように差し込むことにより、電線類１０の先端部１１，１２と他の電気部品を模擬した材料２０の基体２１とを接続することができる。
【００３５】
すなわち、他の電気部品を模擬した材料２０の基体２１の端子相当部分に、所定の深さを有する孔２４を設けるとともに、孔２４の内周面２４ａに円筒状の管２５を設け、管２５に電線類１０の先端部１１，１２を差し込むことができる。
【００３６】
以上のように構成された電線類１０および他の電気部品を模擬した材料２０は、図３に示す固定具３０により位置を固定しつつ接続を模擬することができる。
【００３７】
すなわち、固定具３０は、電線類１０および他の電気部品を模擬した材料２０の位置を固定するためのものである。固定具３０は、板状の固定盤３０´を有しており、固定盤３０´上に電線類１０および他の電気部品を模擬した材料２０を固定する固定部３１，３２を含んでいる。
【００３８】
つまり、固定具３０は、更に固定材３３，３４を有しており、固定部３１，３２において固定材３３，３４を介して電線類１０および他の電気部品を模擬した材料２０を着脱可能に固定することができる。固定材３３，３４は、面ファスナー３３，３４（第２の面ファスナー３３，３４）とすることができ、この面ファスナー３３，３４と電線類１０および他の電気部品を模擬した材料２０の面ファスナー１０´，２０´を係合させることにより電線類１０および他の電気部品を模擬した材料２０を固定盤３０´上に固定することができる（固定材３３，３４は、接着剤または接着部材等により他の電気部品を模擬した材料２０に固定される）。
【００３９】
この固定具３０を用いた電線類１０および他の電気部品を模擬した材料２０の固定方法および材料１０，２０間の接続方法をより詳しくは説明すると次のようになる（以下の説明においては、電線類１０の先端部１１を接続することとしているが、先端部１２を接続することとしてもよい）。
【００４０】
すなわち、まず図４示すように、固定盤３０´上に他の電気部品を模擬した材料２０より詳しくはコンセントを取付枠に設けた状態を模擬した材料２０を第１の面ファスナー２０´および第２の面ファスナー３４を介して固定部３２に固定する。このとき、図５に示すように、コンセントを取付枠に設けた状態の表面側の写真または図面２６を並べて設けることとすると、模擬した材料２０であってもコンセントを取付枠に取り付けた状態をイメージし易くなりより好ましい。
【００４１】
次いで、図６に示すように、電線類１０を固定盤３０´上に第１の面ファスナー１０´および第２の面ファスナー３３を介して固定部３２に固定する。
【００４２】
続いて、図７に示すように、電線類１０の先端部１１を他の電気部品を模擬した材料２０の孔２４に管２５を介して差し込み電線類１０と他の電気部品を模擬した材料２０との接続を完了する。
【００４３】
以上説明したように、本発明によれば、試験の対策に使用される材料としての電線類１０の先端部１１，１２を硬質材料で形成するとともに、先端部１１，１２を試験の対策に使用される材料としての他の電気部品を模擬した材料２０に差し込むことにより、電線類１０の先端部１１，１２と他の電気部品を模擬した材料２０とを容易に接続することができる等、試験に使用される材料間の接続を容易に模擬することができる。
【００４４】
また、電線類１０の中間部１３を硬質材料よりもヤング率の小さい材料（曲げ剛性の小さい材料）で形成することとしたので、電線類１０の中間部１３を容易に曲げることが可能となり、電線類１０を接続する際の操作性を向上させることができる。
【００４５】
更に、他の電気部品を模擬した材料２０の電線類１０の先端部１１，１２を差し込む部分に、孔２４を設けることとしたので、電線類１０の先端部１１，１２を他の電気部品を模擬した材料２０に容易に差し込むことができる。
【００４６】
また、他の電気部品を模擬した材料２０を発泡スチロール等の発泡性の材料とすることとしたので、電線類１０の先端部１１，１２を差し込み易くすることができる。
【００４７】
更に、電線類１０および他の電気部品を模擬した材料２０の位置を固定するための固定具３０を有することとしたので、試験の対策に使用される材料の位置を固定することができる。
【００４８】
なお、本発明は、上述した特許請求の範囲を逸脱しない範囲内において種々の変形実施、応用実施が可能であることは勿論である。
【００４９】
すなわち、上述した実施形態にあっては、固定材３３を面ファスナー３３として電線類１０を固定盤３０´に固定することとしているが、図８に示すように、別の固定材４０を用いることとしてもよい。
【００５０】
つまり、固定材４０は、基体４１に設けられた屈曲または湾曲したフック状の部材４２を含み、図９に示すように、屈曲または湾曲したフック状の部材４２の内側空間４０ａに電線類１０の中間部１３を敷設するとともに、図１０に示すように、電線類１０を敷設した状態で屈曲または湾曲したフック状の部材４２を更に内側に屈曲または湾曲させて挟み込み、電線類１０の中間部１３を固定することとしてもよい。なお、固定材４０の固定盤３０´への固定は、接着材または接着部材等を用いて行うことができる。
【００５１】
また、上述した実施形態にあっては、電線類１０の接続は他の電気部品を模擬した材料２０の基体２１の表面２１ａの端子相当部分に孔２４を設けて行うこととしているが、図１１に示すように、表面２１ａの端子相当位置に対応する側面２１ｃに孔２４を設けて接続することとしても所要の効果を奏する。
【００５２】
更に、孔２４を設けずに電線類１０の先端１１，１２を他の電気部品を模擬した材料２０に直接差し込んで接続することとしても所要の効果を奏する。ただし、孔２４を設けて電線類１０を接続した方がより好ましい。
【００５３】
また、他の電気部品を模擬した材料２０の本体２１は、電線類１０よりも比重の小さい材料として発泡性の材料やスポンジ状の部材とすることとしているが、これらに限らず、紙材料、木材、布材料、プラスチック材料等各種の材料を採用することができる。ただし、電線類１０よりも比重の小さい材料として発泡性の材料やスポンジ状の部材とした方がより好ましい。
【００５４】
更に、上述した実施形態にあっては、固定具３０により、電線類１０および他の電気部品を模擬した材料２０のいずれも固定することとしているが、電線類１０および他の電気部品を模擬した材料２０のいずれか一方のみを固定することとしても所要の効果を奏する。ただし、電線類１０および他の電気部品を模擬した材料２０のいずれも固定することとした方が、いずれか一方のみを固定することとするよりも確実に固定して接続を模擬することができより好ましい。
【００５５】
また、固定材３３，３４，４０を面ファスナーやフック状の部材とすることとしているが、所定の接着剤により電線類１０や他の電気部品を模擬した材料２０を固定盤３０´に固定することとしても所要の効果を奏する。ただし、固定材３３，３４，４０を面ファスナーやフック状の部材とする方が、固定盤３０´に着脱可能に固定することができるのでより好ましい。
【００５６】
更に、図１２および図１３に示す変形例のように、電気部品を模擬した材料１００は、板状、ブロック状、またはシート状の発泡性の材料、スポンジ状の部材、およびコルクを用いた材料の少なくともいずれか一つの表面に電気部品の写真および／または図をプリントする等して施した物品１００ｃより詳しくはシート状物１００ｃを設けて形成することができる（図１２においては、取付枠、コンセント、スイッチ、パイロットランプ、ランプレセプタクルの写真および／または図面がプリントする等して施されている）。
【００５７】
すなわち、変形例に係る電気部品を模擬した材料１００は、例えば、板状またはブロック状の発泡性の材料を下層１００ａ、シート状のコルクを用いた材料を上層１００ｂとしてその表面（上層１００ｂの表面）に、電気部品の写真および／または図をプリントする等して施したシート状物１００ｃを設けて形成することができる（シート状物１００ｃは、発泡性の材料、スポンジ状の部材、およびコルクを用いた材料の少なくともいずれか一つの表面に固定することなく単に載置してもよく貼り付けて固定してもよい）。
【００５８】
そして、変形例に係る電気部品を模擬した材料１００は、電線類１０の先端部１１，１２を、電気部品を模擬した材料１００の端子１００ｄ部分に穴等を予め開けることなく直接突き刺すように差し込むことにより、電線類１０の先端部１１，１２と電気部品を模擬した材料１００とを接続することができる。
【００５９】
より詳しくは、変形例に係る電気部品を模擬した材料１００は、電線類１０の先端部１１，１２を、電気部品を模擬した材料１００としての電気部品の写真および／または図を施したシート状物１００ｃと、シート状物１００ｃを表面（上層１００ｂの表面）に施した発泡性の材料、スポンジ状の部材、およびコルクを用いた材料の少なくともいずれか一つと、に達するように直接突き刺すように差し込むことができる（図１２および図１３においては、電気部品を模擬した材料１００としての電気部品の写真および／または図を施したシート状物１００ｃと、上層１００ｂのコルクを用いた材料および下層１００ｃの発泡性の材料と、に達するように、直接突き刺すように差し込むことができる）。シート状物１００ｃは、例えば、シート状の紙より詳しくはラミネート加工を施したシートの紙、シート状のプラスチックや樹脂等を含むことができる。
【００６０】
なお、シート状物１００ｃには複線図１００ｄをプリントする等して施すとともに、シート状物１００ｃに余白１００ｅを設けることとするとより好ましい。すなわち、受講者は、配線図（単線図）１００ｄを参照したり、余白１００ｅに所定のメモを書き込みながら実技試験の模擬練習をすることができ、学習効率を更に向上させることができる。
【００６１】
ここで、上述した実施形態にあっては、電線類１０には、実際の電線類１０を含む他、電線類１０を公知、周知の方法で模擬した材料も含むものとする。
【００６２】
つまり、試験の対策に使用される材料としての電線類１０の先端部１１，１２を硬質材料で形成し、硬質材料は、硬線より詳しくは金属製の硬線、更に詳しくは硬銅線とし、電線類の中間部を硬質材料よりもヤング率の小さい材料で形成し、硬質材料よりもヤング率の小さい材料は、軟線より詳しくは金属製の軟線、更に詳しくは軟銅線とし、軟銅線は、撚線とする等することとして、電線類１０の先端部１１，１２を試験の対策に使用される材料としての他の電気部品を模擬した材料２０に差し込むことにより、電線類１０の先端部１１，１２と他の電気部品を模擬した材料２０とを接続することができるものであれば、実際の電線類１０のみならず電線類１０を模擬した材料も含むものとする（なお、電線類１０は、先端部１１，１２および中間部のいずれも硬質材料より詳しくは硬線更に詳しくは金属製の硬線また更に詳しくは硬銅線により構成することとしても所要の効果を奏することができる）。
【００６３】
一方、他の電気部品を模擬した材料２０には、模擬した材料２０のみを含むものとし、実際の他の電気部品は含まないものとする。
【符号の説明】
【００６４】
１：練習用キット
１０：電線類
１０´：面ファスナー
１１，１２：先端部
１３：中間部
２０：他の電気部品を模擬した材料
２０´：面ファスナー
２１：基体
２１ａ：表面
２１ｂ：底面
２１ｃ：側面
２２：写真等
２３：写真等
２４：孔
２４ａ：内周面
２５：管
２６：写真等
３０：固定具
３０´：固定盤
３１，３２：固定部
３３，３４：固定材（面ファスナー）
４０：固定材
４０ａ：内側空間
４１：基体
４２：フック状の部材
【図１】
2020149031.tif 000003
【図２】
2020149031.tif 000004
【図３】
2020149031.tif 000005
【図４】
2020149031.tif 000006
【図５】
2020149031.tif 000007
【図６】
2020149031.tif 000008
【図７】
2020149031.tif 000009
【図８】
2020149031.tif 000010
【図９】
2020149031.tif 000011
【図１０】
2020149031.tif 000012
【図１１】
2020149031.tif 000013
【図１２】
2020149031.tif 000014
【図１３】
2020149031.tif 000015